(57)【要約】【課題】表示部の高視認性或いは表示情報量の増大を確保しながら、撮影照明機能を備えて、セルフ撮影において良好な画像を得ることができ、しかも機器本体のコンパクト化にも対応することができる。【解決手段】カメラ付き電子機器の表示部１０は、カメラユニットのレンズ部と同一面に表示画面を備え、メイン制御ユニット１１からの信号によって動作する入力部１２、入力部１２からの信号が入力される画像記憶部（画像ＲＡＭ）１３及びレジスタ１４、表示制御部１５、駆動部１６、前述の表示画面３を有する表示パネル１７によって構成され、表示制御部１５による制御によって、表示パネル１７の機能を通常の表示機能とカメラユニットに対する照明機能とに切り換えることができる。【選択図】        図２
2004350208.tif 000002
【特許請求の範囲】
【請求項１】
カメラユニットと少なくとも一つの表示部とを備えたカメラ付き電子機器であって、前記カメラユニットのレンズ部と前記表示部の表示画面が同一画面側に設置可能であり、前記表示部は表示機能と前記カメラユニットの被写体に対する照明機能とが切換可能に制御されることを特徴とするカメラ付き電子機器。
【請求項２】
前記表示部の表示機能は、前記カメラユニットのファインダ機能であることを特徴とする請求項１に記載のカメラ付き電子機器。
【請求項３】
前記表示部の表示機能は、前記カメラユニットの撮影操作に応じて表示される撮影情報表示機能であることを特徴とする請求項１に記載のカメラ付き電子機器。
【請求項４】
前記撮影情報は前記カメラユニットの撮影開始を予告するカウントダウン情報であることを特徴とする請求項３に記載のカメラ付き電子機器。
【請求項５】
前記表示部の照明機能は、前記カメラユニットの撮影開始直前に動作するフラッシュ照明機能であることを特徴とする請求項１〜４のいずれかに記載のカメラ付き電子機器。
【請求項６】
前記表示部による照明は発光色を選択可能にしたことを特徴とする請求項１〜５のいずれかに記載のカメラ付き電子機器。
【請求項７】
前記表示部が有機ＥＬパネルによって形成されることを特徴とする請求項１〜６のいずれかに記載のカメラ付き電子機器。
【請求項８】
前記カメラ付き電子機器は、携帯電話機を兼用することを特徴とする請求項１〜７のいずれかに記載のカメラ付き電子機器。
【発明の詳細な説明】
【０００１】
【発明の属する技術分野】
本発明は、カメラユニットと少なくとも一つの表示部とを備えたカメラ付き電子機器に関するものである。
【０００２】
【従来の技術】
近年、固体撮像素子の小型・高画素密度化によって、撮影画像を電子データとして扱うデジタルカメラやデジタルビデオカメラが普及し、更には、携帯型の電子機器にカメラユニットを搭載した各種のカメラ付き電子機器が開発されている。このようなデジタルカメラやデジタルビデオカメラを含めたカメラ付き電子機器は、ＣＣＤ，ＣＭＯＳ等の固体撮像素子からなるカメラユニットを備えていることは勿論であるが、撮影画像或いは撮影情報を表示するための表示部を備えることが基本構成になっている。
【０００３】
このカメラ付き電子機器においては、撮影者自らが被写体になる使用形態（セルフ撮影）が多くなっており、特にその一種であるカメラ付き携帯電話機においては、撮影者自らの顔画像を音声と合わせて電話先に送信する使用形態が一般的であるから、撮影者自らの顔画像や撮影情報を確認しながら撮影できることが重要なニーズになっている。下記特許文献１に記載されたカメラ付き携帯電話機においては、電子カメラ（カメラユニット）が内蔵されると共に、撮影された被写体の静止画像を表示する液晶ディスプレイ（表示部）を備え、電子カメラの撮影レンズと液晶ディスプレイ、更にはストロボ装置を機器本体の正面に配置したものが提案されている。
【０００４】
【特許文献１】
特開２００１−３２０４５４号公報
【０００５】
【発明が解決しようとする課題】
ここで、前述したカメラ付き電子機器おいて、カメラユニットに関しては小型で高機能であることが求められることは当然であるが、表示部に関しては、高視認性及び表示情報量増大の観点から可能な限り表示画面を大きくすることが求められる傾向にある。また一方で、カメラユニットが小型になると一般に開口数が低下するが、屋内や夜間での使用環境に適応する必要があるので、良好な画像を得るためには撮影用照明装置の装備が不可欠になっている。
【０００６】
このような事情の中で、携帯型の電子機器は機器本体をよりコンパクトにすることが求められており、良好なセルフ撮影を行うことができるカメラ付き電子機器としては、カメラユニットのレンズ部、表示部の表示画面、及び撮影用の照明装置の三者を如何に効率よく同一面側に配備するかが重要な問題になっている。
【０００７】
本発明は、このような問題に対処することを課題の一例とするものである。すなわち、カメラユニットと少なくとも一つの表示部とを備えたカメラ付き電子機器において、表示部の高視認性或いは表示情報量の増大を確保しながら、撮影照明機能を備えて、セルフ撮影において良好な画像を得ることができ、しかも機器本体のコンパクト化にも対応することができるカメラ付き電子機器を提供することを目的とする。
【０００８】
【課題を解決するための手段】
このような目的を達成するために、本発明によるカメラ付き電子機器は、以下の請求項に係る構成を少なくとも具備するものである。
【０００９】
（請求項１）カメラユニットと少なくとも一つの表示部とを備えたカメラ付き電子機器であって、前記カメラユニットのレンズ部と前記表示部の表示画面が同一画面側に設置可能であり、前記表示部は表示機能と前記カメラユニットの被写体に対する照明機能とが切換可能に制御されることを特徴とするカメラ付き電子機器。
【００１０】
【発明の実施の形態】
以下、本発明の実施形態を図面を参照して説明する。図１は本発明の一実施形態に係るカメラ付き電子機器の外観構成を示す説明図である。カメラ付き電子機器１は、機器本体１Ａの同一面側に、カメラユニットのレンズ部２、表示部の表示画面３が設けられている。カメラユニットはＣＣＤ，ＣＭＯＳ等の固体撮像素子からなり電子画像情報を記憶し又出力できるユニットである。表示部は各種の表示情報及びカメラユニットで撮影された画像情報を表示画面に表示する機能を有する。ここで表示部は、表示部及び表示画面が複数有り、その内少なくとも一つの表示画面がレンズ部２と同一面側に設けられているもの、また、主表示部と副表示部を有するものであって、そのいずれか一方の表示画面がレンズ部２と同一面側に設けられているものを含む。また必要に応じて、スピーカ，マイク，操作スイッチ等の入出力部４，５が機器本体１Ａに設けられる。このカメラ付き電子機器１０としては前述の構成を備えるものであれば特に機種は限定されない。デジタルカメラ、デジタルビデオカメラ、カメラ付き携帯電話機、カメラ付き情報端末機（ＰＤＡ）、カメラ付きモバイルコンピュータ等の各種機器が本発明の実施形態になりうる。
【００１１】
図２は、前述した表示部の構成例を示す説明図である。表示部１０は、メイン制御ユニット１１からの信号によって動作する入力部１２、入力部１２からの信号が入力される画像記憶部（画像ＲＡＭ）１３及びレジスタ１４、表示制御部１５、駆動部１６、前述の表示画面３を有する表示パネル１７によって構成され、表示制御部１５による制御によって、表示パネル１７の機能を表示機能とカメラユニットに対する照明機能とに切り換えることができる。
【００１２】
表示パネル１７の機能は、表示機能としては、カメラユニットのファインダ機能、カメラユニットの撮影操作に応じて表示される撮影情報表示機能、特にはカメラユニットの撮影開始を予告するカウントダウン情報表示機能等が選択でき、また、照明機能としては、被写体を照射するライト機能、カメラユニットの撮影開始直前に動作するフラッシュ機能等を選択できる。これらの各機能毎に表示部の動作を説明すると以下のとおりである。
【００１３】
ａ．ファインダ機能；表示制御部１５でファインダ機能が選択されると、カメラユニットから入力部１２に入力される画像データが画像記憶部１３に一時保存され、レジスタ１４に画像表示のコマンドが入力されると、保存された画像データが駆動部１６に送り出される。そしてその画像データによって駆動部１６が駆動信号を表示パネル１７に送り、カメラユニットの撮影画像が表示パネル１７の表示画面に表示される。
【００１４】
ｂ．撮影情報表示機能；メイン制御ユニット１１からの撮影制御信号がレジスタ１４に入力されると、表示制御部１５内のメモリに保存される撮影情報信号が駆動部１６に出力され、この撮影情報信号によって駆動部１６が駆動信号を表示パネル１７に送り、撮影情報が表示パネル１７の表示画面に表示される。特にカメラユニットの撮影開始を予告するカウントダウン情報を表示するには、メイン制御ユニット１１から送られるシャッタレリーズ信号とタイマ信号に応じて表示制御部１５からカウントダウン情報が駆動部１６に送られ、表示パネル１７にカウントダウン情報が表示される。
【００１５】
ｃ．ライト機能；メイン制御ユニット１１からの指示信号がレジスタに送られると、表示制御部１５でライト機能が選択され、全画面で「白」を表示させる画像データが駆動部１６に送られる。そしてその画像データによって駆動部１６が駆動信号を表示パネル１７に送り、表示パネル１７の表示画面が白色に発光することになる。表示パネル１７がカラー表示可能な場合には、白に限らず他の色での照明も可能である。
【００１６】
ｄ．フラッシュ機能；メイン制御ユニット１１からの指示信号がレジスタに送られると、表示制御部１５でフラッシュ機能が選択され、全画面で「白」を表示させる画像データが駆動部１６に送られ、瞬時に停止される。これによって表示パネル１７の表示画面が一瞬白色に発光することになる。表示パネル１７がカラー表示可能な場合には、白に限らず他の色での発光も可能である。
【００１７】
フラッシュ機能において、高輝度の瞬間発光を得るためには図３に示すような表示部の構成を採用することもできる。図２と同一の構成要素には同一符号を付して重複する説明は省略する。この表示部２０が前述の表示部１０と違うところは、駆動部１６以外にストロボ用の高出力ドライバ２１と高電圧生成用の電源２２及びその電源制御部２３を備える点である。これによると、レジスタ１４が指令を受けると、電源制御部２３が動作し電源２２内部で高電圧を生成し始める。その後、電源２２内部の電圧が充分高くなったら、ストロボ用高出力ドライバがフラッシュ機能の命令で高電圧を表示パネル１７に印加する。
【００１８】
次に、表示パネル１７について説明する。表示パネル１７は各種のフラットディスプレイパネルを採用することができるが、照明機能選択時に効果的な光出力を得るためには自発光型のディスプレイパネルが適する。更に、表示機能選択時にカラー表示を行い、照明機能選択時に様々な色の発光色を選択できるようにするためには、有機ＥＬ（Ｅｌｅｃｔｒｏｌｕｍｉｎｅｓｃｅｎｃｅ）パネルが適する。特に、情報量の多い表示を可能にするためにはドットマトリクス表示の有機ＥＬパネルが好ましい。
【００１９】
ここで採用される有機ＥＬパネル自体は、従来知られる構造，材料によって形成することができる。一般的には、一対の電極間に有機発光機能層を含む有機層を挟持した有機ＥＬ素子が支持基板上に形成され、一方の電極が透明性を有する電極に形成されている。前記の有機発光機能層は、正孔輸送層、発光層、電子輸送層を組合わせたものが一般的であるが、発光層、正孔輸送層、電子輸送層はそれぞれ１層だけでなく複数層積層して設けてもよく、正孔輸送層、電子輸送層についてはどちらかの層を省略しても、両方の層を省略してもよい。また、正孔注入層、電子注入層等の有機層を用途に応じて挿入することも可能である。
【００２０】
有機ＥＬパネルの発光色は、単色、２色以上の複数色のいずれでもよいが、前述したようにカラー表示を行うためには２色以上の複数色発光のものを採用する必要がある。複数色発光の有機ＥＬパネルは、ＲＧＢに対応した３種類の発光機能層を形成する方法を含む２色以上の発光機能層を形成する方式（塗り分け方式）、白色や青色等の単色の発光機能層にカラーフィルタや蛍光材料による色変換層を組み合わせた方式（ＣＦ方式、ＣＣＭ方式）、単色の発光機能層の発光エリアに電磁波を照射する等して複数発光実現する方式（フォトブリーチング方式）等により形成できる。有機ＥＬパネルの駆動方法は、パッシブ駆動、アクティブ駆動どちらでも採用することが可能であり、パネルの発光形態についても支持基板側からの発光（ボトムエミッション方式）、支持基板と反対側からの発光（トップエミッション方式）のどちらを採用してもよい。
【００２１】
以下本発明の実施形態の特徴をまとめると以下のとおりである。
【００２２】
第１には、カメラユニットと少なくとも一つの表示部とを備えたカメラ付き電子機器であって、カメラユニットのレンズ部と表示部の表示画面が同一画面側に設置可能であり、表示部は表示機能とカメラユニットの被写体に対する照明機能とが切換可能に制御されるので、セルフ撮影をする際に、表示部の表示画面によって撮影情報や被写体画像を確認した上で撮影用照明を用いた良好な撮影を実行することが可能になり、満足のいくセルフ撮影を行うことができる。また、一つの表示部が表示機能と照明機能を兼用するので、別途照明装置を配備するスペースを省くことができ、コンパクト化された機器本体の一面に効率よくカメラユニットのレンズ部と表示部の表示画面を配備することができる。
【００２３】
第２には、前述の特徴と併せて、表示部の表示機能をカメラユニットのファインダ機能にすることによって、セルフ撮影時に自分の顔の状態を確認した上で撮影を行うことができ、誤撮影を減らし満足度の高い撮影が可能になる。
【００２４】
第３には、前述の特徴と併せて、表示部の表示機能をカメラユニットの撮影操作に応じて表示される撮影情報表示機能にすることによって、各種の撮影情報を確認した上で撮影を行うことができ、誤撮影を減らし満足度の高い撮影が可能になる。
【００２５】
第４には、撮影情報としてカメラユニットの撮影開始を予告するカウントダウン情報を表示することによって、セルフ撮影の静止画撮影時には、カウントダウン情報を確認しながら撮影開始の直前に目線を表示画面からカメラユニットのレンズ部に移すことで、正面視状態の顔を自分の気に入った表情で撮影することができる。
【００２６】
第５には、前述の特徴と併せて、表示部の照明機能をカメラユニットの撮影開始直前に動作するフラッシュ照明機能にすることによって、室内や夜間等の照明状態が良くない撮影環境においても、良好な静止画撮影を行うことができる。
【００２７】
第６には、前述の特徴と併せて、表示部による照明は発光色を選択可能にしたので、例えば、赤色発光を行い撮影した画像に暖かい印象を持たせたり、青色発光を行い涼しげな印象を持たせたりすることが可能になり、撮影照明の特殊効果にバリエーションを付加することができる。
【００２８】
第７には、表示部を有機ＥＬパネルによって形成することによって、照明機能時の発光を効率よく行うことができ、照明光として充分な光量を確保することができると共に、表示機能から照明機能への切換を簡単に行うことができる。また、複数色発光の有機ＥＬパネルを用いることで、カラー表示と各色毎の照明が可能になり、機能の向上を図ることができる。更には、フレキシブル基板を用いた有機ＥＬパネルを採用することで、曲面を有する機器本体に対して効果的に表示画面を形成することができる。
【００２９】
第８には、前述のカメラ付き電子機器を携帯電話機を兼用する機器にすることによって、前述した有効な特徴を携帯電話機に付与することができる。
【００３０】
なお、本発明の実施形態に係るカメラ付き電子機器での撮影は静止画撮影であっても動画撮影であってもよい。また、カメラユニットのレンズ部と表示部の表示画面が同一画面側に設置可能であることが特定されているが、カメラユニットのレンズ部の方向が切換可能なものや取り外し可能なものでは、最終的な撮影時にレンズ部と表示画面が同一面側に配置されるものであればよい。
【００３１】
【実施例】
以下に、本発明の実施例について、カメラ付き携帯電話機とデジタルカメラを例にして説明するが、本発明はこれらに限定されるものではない。また、ここでは、表示部は主表示画面と副表示画面の二つを有する例を示すが、本発明の表示部はこれに限定されるものではない。
【００３２】
［実施例１：カメラ付き携帯電話機］
図４は、本発明の実施例に係るカメラ付き携帯電話機３０の外観構造を示す説明図である。ここでは折りたたみ式のものを示しており、同図（ａ）が展開状態、同図（ｂ）が折り畳み状態を示している。カメラ付き携帯電話機３０は、第１本体３０Ａと第２本体３０Ｂとがヒンジ３１によって連結されている。第１本体３０Ａには、片面側に表示部の主表示画面３２或いはスピーカ開口部３３等が配備され、他の面側には、表示部の副表示画面３４及びカメラユニットのレンズ部３５が配備されている。また、第２本体３０Ｂには、基本操作部３６，モード切換ボタン３７，シャッタボタン３８等が配備されている。
【００３３】
ここで特徴となるのは、カメラユニットのレンズ部３５と表示部の副表示画面３４とが同一面側に設けられていることであり、この副表示画面３４に対する表示部が表示機能と照明機能を切り換える切換制御の対象になっている。また、主表示画面３２にも同様の機能をもたせ、レンズ部３５を移動可能としたものでもよい。撮影時にレンズ部３５と表示部（主表示画面３２若しくは副表示画面３４）が同一面側にあればよい。
【００３４】
カメラユニットは前述の実施形態のようにＣＣＤ，ＣＭＯＳ等の固体撮像素子からなり撮影画像を記憶し又は出力するものである。表示部は、前述の実施形態のように各種のフラットディスプレイパネルを主表示画面３２及び副表示画面３４の表示パネルとして備え、また主表示画面３２に対応した主表示部と副表示画面３４に対応した副表示部を備えている。主表示部では、通常モードでは携帯電話の使用に応じた各種の情報が表示され、カメラ使用モードになると、被写体画像が表示されるようになっている（ファインダ機能）。
【００３５】
図５は、本発明の実施例に係るカメラ付き携帯電話機３０おける撮影動作の一例を説明するフローである。先ず、モード切換ボタン３７等の操作によって、撮影モードが選択されると（Ｓ１）、表示部は主表示画面３２及び副表示画面３４に被写体画像を表示させる（Ｓ２）。セルフ撮影時には、カメラユニットのレンズ部３５と同一面側にある副表示画面３４の被写体画像を観ながら撮影ポーズを決める。そして、シャッタボタン３８を押すと（Ｓ３）、副表示画面３４の表示がカウントダウン表示に切り替わり（Ｓ４）、撮影動作が開始される直前に副表示部がフラッシュ機能に切り換えられて副表示画面３４がフラッシュ発光し（Ｓ５）、その後撮影が完了する（Ｓ６）。
【００３６】
カメラ付き携帯電話機としては、前述した折りたたみ式だけでなく、いかなる形態のものでもよく、図６に示した一体式、図７に示したスライド式等であってもよい。図６に示した一体式のカメラ付き携帯電話機４０（同図（ａ）が一面側、同図（ｂ）が他面側を示している。図４の説明と重複する箇所には同じ符号を付して重複説明は省略する。）は、本体４０Ａの背面側にカメラユニットのレンズ部３５と副表示画面３４が設けられている。図７に示したスライド式のカメラ付き携帯電話機５０（同図（ａ）が一面側、同図（ｂ）が他面側を示している。図４の説明と重複する箇所には同じ符号を付して重複説明は省略する。）は、第１本体５０Ａと第２本体５０Ｂとが平行にスライド自在に連結されており、第１本体５０Ａの背面側にカメラユニットのレンズ部３５と副表示画面３４が設けられている。
【００３７】
［実施例２：デジタルカメラ］
図８は、本発明の実施例に係るデジタルカメラ６０の外観構造を示す説明図である（同図（ａ）が正面側からみた斜視図、同図（ｂ）が背面側からみた斜視図を示している。）。このデジタルカメラ６０は、本体６０Ａの背面側に表示部の主表示画面６１或いは操作部６２等が配備され、正面側には表示部の副表示画面６３及びカメラユニットのレンズ部６４が配備されており、本体６０Ａの側面等にシャッタボタン６５等が配備されている。
【００３８】
ここで特徴となるのは、カメラユニットのレンズ部６４と表示部の副表示画面６３とが同一面側に設けられていることであり、この副表示画面６３に対する表示部が表示機能と照明機能を切り換える切換制御の対象になっている。撮影動作の基本例は前述した実施例と同様であって、セルフ撮影時には副表示画面６３の被写体画像を観ながら撮影ポーズを決めて、撮影動作開始直前に副表示画面６３がフラッシュ発光するように設定される。また、実施例１で説明したように、カウントダウン表示機能を有していても構わない。
【００３９】
以上、本発明の実施形態或いは実施例によると、カメラユニットと少なくとも一つの表示部とを備えたカメラ付き電子機器において、表示部の高視認性或いは表示情報量の増大を確保しながら、撮影照明機能を備えて、セルフ撮影において良好な画像を得ることができ、しかも機器本体のコンパクト化にも対応することができる。
【図面の簡単な説明】
【図１】本発明の一実施形態に係るカメラ付き電子機器の外観構成を示す説明図である。
【図２】本発明の一実施形態に係るカメラ付き電子機器の表示部の構成例を示す説明図である。
【図３】本発明の一実施形態に係るカメラ付き電子機器の表示部の他の構成例を示す説明図である。
【図４】本発明の実施例（カメラ付き携帯電話機）を示す説明図である。
【図５】本発明の実施例における撮影動作の一例を説明するフローである。
【図６】本発明の実施例（カメラ付き携帯電話機）を示す説明図である。
【図７】本発明の実施例（カメラ付き携帯電話機）を示す説明図である。
【図８】本発明の実施例（デジタルカメラ）を示す説明図である。
【符号の説明】
１  カメラ付き電子機器
２、３５，６４    レンズ部
３  表示画面
４，５  入出力部
１０，２０  表示部
１１  メイン制御ユニット
１２  入力部
１３  画像記憶部
１４  レジスタ
１５  表示制御部
１６  駆動部
１７  表示パネル
２１  ストロボ用高出力ドライバ
２２  電源
２３  電源制御部
３０，４０，５０  カメラ付き携帯電話機
３２，６１  主表示画面
３４，６３  副表示画面
６０  デジタルカメラ
【図１】
2004350208.tif 000003
【図２】
2004350208.tif 000004
【図３】
2004350208.tif 000005
【図４】
2004350208.tif 000006
【図５】
2004350208.tif 000007
【図６】
2004350208.tif 000008
【図７】
2004350208.tif 000009
【図８】
2004350208.tif 000010